(57)【要約】      （修正有）【課題】電子製品の音声信号をＦＭ信号に変換して車両内に設けられたスピーカーにより音声を再生可能であり、且つスピークフォンとするブルートゥースモジュールを有し、充電電源として各種類の電子装置を充電可能な装置を提供する。【解決手段】台座１と、装置本体３と、を含み、台座には、電力供給を得るために車両内に設けられたタバコ点火器用ソケットに挿入するタバコ点火器プラグ１３と、相違な仕様の伝送コードを電子装置と電気的に連接するための連接用受け口１１２と、が設けてあり、装置本体は、ＦＭ放射器と、ブルートゥースモジュールと、音声入力装置とするマイク３６と、を含み、装置本体には、更に、ＦＭ放射器の放射している周波数を表示する液晶ディスプレー３５と、装置本体を制御する制御スイッチ３８と、が設けてあることを特徴とする車両用マルチメディアコードレス伝送受信装置。【選択図】図１
0003133161.tif 000002
【実用新案登録請求の範囲】
【請求項１】
台座と、装置本体と、を含み、
前記台座には、電力供給を得るために車両内に設けられたタバコ点火器用ソケットに挿入するタバコ点火器プラグと、相違な仕様の伝送コードを電子装置と電気的に連接するための連接用受け口と、が設けてあり、
前記連接用受け口により、デジタル音声ファイルを装置本体に伝送が可能、及び電子装置を充電することが可能であり、
前記装置本体は、ＦＭ放射器と、ブルートゥース（登録商標）モジュールと、音声入力装置とするマイクと、を含み、
前記ＦＭ放射器は、車両内に設けられたラジオにより受信可能なＦＭ信号を放射し、
前記装置本体には、前記ＦＭ放射器の放射している周波数を表示する液晶ディスプレーと、前記装置本体を制御する制御スイッチと、が設けてあり、
前記ブルートゥースモジュールは、音声信号およびデジタルデータを携帯電話とコードレス状態で交信可能にするものであることを特徴とする、
車両用マルチメディアコードレス伝送受信装置。
【請求項２】
前記装置本体の内部には、デジタル音声ファイルをアナログ音声信号に変換するプロセッサーが設けてあり、
前記プロセッサーには、前記マイクと、前記制御スイッチと、前記ＦＭ放射器と、前記ブルートゥースモジュールと、連結インタフェースと、が電気的に連接してあり、
前記プロセッサーの電子回路の電力供給を得るために、前記プロセッサーが前記台座と電気的に連接してあり、
前記マイクは、携帯電話を使用している際の音声入力装置であり、
前記制御スイッチは、ＦＭ放射器から放射されるＦＭ信号を調整し、前記装置本体の使用モードを切替えるものであり、
前記連結インタフェースは、プロセッサーにデジタル音声ファイルを伝送するためのものであることを特徴とする、
請求項１に記載の車両用マルチメディアコードレス伝送受信装置。
【請求項３】
前記装置本体には、前記装置本体の現在の使用モードを表示し、且つ着信があることを表示するための発光ダイオードが複数設けてあることを特徴とする、請求項１に記載の車両用マルチメディアコードレス伝送受信装置。
【請求項４】
前記装置本体の底端には、撓み性を持ち、その底端が前記台座と連接している支持ロッドが設けてあることを特徴とする、請求項１に記載の車両用マルチメディアコードレス伝送受信装置。
【考案の詳細な説明】
【技術分野】
【０００１】
本考案は、車両用マルチメディアコードレス伝送受信装置に係り、特に、デジタル音声ファイルを車両内に設けられたラジオが受信可能なＦＭ信号に変換し、且つスピークフォンとするブルートゥース（登録商標）モジュールを有し、充電電源として各種類の電子装置を充電可能な車両用マルチメディアコードレス伝送受信装置に関するものである。
【背景技術】
【０００２】
目下、個人的な電子製品（例えばＣＤウォークマン（登録商標）、ＰＤＡやＭＰ３プレーヤーなど）の音声信号を車両内に設けられたラジオが受信可能なＦＭ信号に変換可能な従来の車両用マルチメディアコードレス伝送受信装置が市販しているが、従来の車両用マルチメディアコードレス伝送受信装置は、電子製品の音声信号をＦＭ信号に変換して車両内に設けられたスピーカーにより音声を再生することだけが可能であり、他の機能が全くないので、市場の競争力が充分ではない。
【０００３】
また、車両を運転している際に着信に出ると、法律の規定により罰金が取られると共に、道路状況に不注意することによる交通事故の可能性も高いので、車両用スピークフォン機能付き携帯電話が市販になっている。
【０００４】
また、電子装置（例えば、携帯電話、ｉＰｏｄ（登録商標）、メモリスティック、ＭＰ３プレーヤー、デジタルカメラ、ＰＤＡ、携帯式遊戯機やモバイルテレビなど）は、国民の日常生活の不可欠な存在になっており、これらの電子装置の使用は電力供給が必要なので、車両内の使用はタバコ点火器を電力供給源とすることが便利である。
【考案の開示】
【考案が解決しようとする課題】
【０００５】
本考案の主な目的は、電子製品の音声信号をＦＭ信号に変換して車両内に設けられたスピーカーにより音声を再生可能であり、且つスピークフォンとするブルートゥースモジュールを有し、充電電源として各種類の電子装置を充電可能な車両用マルチメディアコードレス伝送受信装置を提供することにある。
【課題を解決するための手段】
【０００６】
上記目的を達成するためになされた本願の第１考案は、台座と、装置本体と、を含み、前記台座には、電力供給を得るために車両内に設けられたタバコ点火器用ソケットに挿入するタバコ点火器プラグと、相違な仕様の伝送コードを電子装置と電気的に連接するための連接用受け口と、が設けてあり、前記連接用受け口により、デジタル音声ファイルを装置本体に伝送が可能、及び電子装置を充電することが可能であり、前記装置本体は、ＦＭ放射器と、ブルートゥース（登録商標）モジュールと、音声入力装置とするマイクと、を含み、前記ＦＭ放射器は、車両内に設けられたラジオにより受信可能なＦＭ信号を放射し、前記装置本体には、前記ＦＭ放射器の放射している周波数を表示する液晶ディスプレーと、前記装置本体を制御する制御スイッチと、が設けてあり、前記ブルートゥースモジュールは、音声信号およびデジタルデータを携帯電話とコードレス状態で交信可能にするものであることを特徴とする、車両用マルチメディアコードレス伝送受信装置であることを要旨としている。
【０００７】
本願の第２考案では、前記装置本体の内部には、デジタル音声ファイルをアナログ音声信号に変換するプロセッサーが設けてあり、前記プロセッサーには、前記マイクと、前記制御スイッチと、前記ＦＭ放射器と、前記ブルートゥースモジュールと、連結インタフェースと、が電気的に連接してあり、前記プロセッサーの電子回路の電力供給を得るために、前記プロセッサーが前記台座と電気的に連接してあり、前記マイクは、携帯電話を使用している際の音声入力装置であり、前記制御スイッチは、ＦＭ放射器から放射されるＦＭ信号を調整し、前記装置本体の使用モードを切替えるものであり、前記連結インタフェースは、プロセッサーにデジタル音声ファイルを伝送するためのものであることを特徴とする、第１考案に記載の車両用マルチメディアコードレス伝送受信装置であることを要旨としている。
【０００８】
本願の第３考案では、前記装置本体には、前記装置本体の現在の使用モードを表示し、且つ着信があることを表示するための発光ダイオードが複数設けてあることを特徴とする、第１考案に記載の車両用マルチメディアコードレス伝送受信装置であることを要旨としている。
【０００９】
本願の第４考案では、前記装置本体の底端には、撓み性を持ち、その底端が前記台座と連接している支持ロッドが設けてあることを特徴とする、第１考案に記載の車両用マルチメディアコードレス伝送受信装置であることを要旨としている。
【考案の効果】
【００１０】
本考案の車両用マルチメディアコードレス伝送受信装置によれば、次のような効果がある。
【００１１】
（イ）本考案の台座には、連接用挿入穴と、連接用受け口とを有し、前記連接用挿入穴と連接用受け口とにより、各種類の電子装置に記憶されたデジタル音声ファイルを本考案に伝送することができ、且つＦＭ放射器により本考案に伝送されるデジタル音声ファイルがＦＭ信号に変換され、車両内に設けられたラジオによりこのＦＭ信号を音声に再生することができる。
【００１２】
（ロ）本考案の装置本体はブルートゥースモジュールを有するので、ブルートゥース機能付き携帯電話とコードレス状態で交信可能であり、携帯電話内のデジタル音声ファイルをブルートゥース機能により装置本体に伝送することができると共に、装置本体をブルートゥース機能付き携帯電話のスピークフォンとすることもでき、これにより、車両を運転している際に着信に出ても、運転の安全性が落とさない。
【００１３】
（ハ）本考案の支持ロッドは、撓み性を持つので、任意に湾折することができ、だから、ユーザの身長に応じて装置本体の高さを調整することができる。
【００１４】
（二）本考案には、相違な仕様の電子装置と接続可能な連接用挿入穴および連接用受け口が設けてあるので、前記連接用受け口を電子装置に接続したときに、本考案は、音声入力装置とすることができ、電力供給装置とすることもできる。
【考案を実施するための最良の形態】
【００１５】
以下、添付図面を参照して本考案の好適な実施の形態を詳細に説明する。
【００１６】
まず、図１と図２と図５を参照する。本考案の車両用マルチメディアコードレス伝送受信装置は、台座１と、支持ロッド２と、装置本体３と、を含む。
【００１７】
前記台座１は、後側には電力供給を得るために車両内に設けられたタバコ点火器用ソケット４に挿入するタバコ点火器プラグ１３が設けてあり、図５に示すように、その前側には連接用ソケット１１が少なくとも一つ設けてあり、前記連接用ソケット１１は、例えば、3.5ｍｍ端子用の連接用挿入穴１１１でもいいし、ＵＳＢ仕様の連接用受け口１１２でもよく、また、図３に示すように、前記連接用挿入穴１１１は伝送コード１２を介して3.5ｍｍ端子を信号出力源とする電子装置５（例えばＣＤウォークマンやＭＰ３プレーヤーなど）と電気的に連接することができ、なお、前記連接用受け口１１２は各仕様の伝送コード１２を介して電子装置５（例えば、携帯電話、ｉＰｏｄ、メモリスティック、ＭＰ３プレーヤー、デジタルカメラ、ＰＤＡ、携帯式遊戯機やモバイルテレビなど）と電気的に連接することができ、これにより、図４に示すように、電子装置５の音声信号を台座１に入力することができると共に、車両内に設けられたタバコ点火器用ソケット４に台座１を挿入したと、本考案が電子装置を充電することもできる。
【００１８】
前記支持ロッド２は、撓み性を持つので、任意に湾折することができ、だから、ユーザの身長に応じて装置本体の高さを調整することができる。
【００１９】
前記装置本体３は、内部にプロセッサー３１が設けてあり、前記プロセッサー３１によりデジタル音声ファイルがアナログな音声信号に変換され、且つ前記プロセッサー３１には、連結インタフェース３２と、ＦＭ放射器３３と、ブルートゥースモジュール（Bluetooth Module）３４と、液晶ディスプレー３５と、マイク３６と、発光ダイオード（Light Emitting Diode,LED）３７と、制御スイッチ３８と、がコードを介して電気的に連接してあり、電力供給を得るために装置本体３が台座１に接続され、また、前記連結インタフェース３２は、台座１の連接用ソケット１１と電気的に連結し、相違な仕様の伝送コード１２と電気的に連結することを可能にするものであり、前記連結インタフェース３２により、電子装置５のデジタル音声ファイルをプロセッサー３１に伝送することができるようになり、前記ＦＭ放射器３３は、車両内に設けれたラジオ６により受信可能なＦＭ信号を放射するものであり、前記ブルートゥースモジュール３４は、ブルートゥース機能付きの各種類の電子装置５（例えば携帯電話など）とコードレス状態で音声信号やデジタルデータを交信可能にするものであり、前記液晶ディスプレー３５は、前記ＦＭ放射器３３の放射している周波数を表示するものであり、前記マイク３６は、ブルートゥース機能付き携帯電話を使用している際の音声入力装置とされ、前記発光ダイオード３７は、現在の使用モードを表示し、着信があることを表示し、そして相手の電話番号を表示するためのものであり、制御スイッチ３８は、前記ＦＭ放射器３３から放射するＦＭ信号の周波数を87.9〜107.9ＭＨｚの間に調整し、前記装置本体３の使用モード（音楽放送モード又は携帯電話のスピークフォンモード）を切替えるものである。
【００２０】
次に、図２乃至図５を参照しながら本考案の使用状態を詳細に説明する。まず、電力供給を得るために、車両内に設けられたタバコ点火器用ソケット４に台座１のタバコ点火器プラグ１３を挿入して、伝送コード１２を介して、相応のコネクタを有しデジタル音声ファイルを持つ各種類の電子装置５に台座１を電気的に連接し、これにより、電子装置５内のデジタル音声ファイルを読取って、装置本体３内のプロセッサー３１によってアナログな音声信号に変換して、ＦＭ放射器３３によってＦＭ信号を放射して、車内のラジオにより前記ＦＭ信号を受信して、車内のスピーカーによって音声を再生すると、車内の乗員が電子装置５内のデジタル音声ファイルの音楽を楽しむことができるようになり、また、前記連接用受け口１１２に電子装置５を電気的に連接したと、電子装置５の音声信号を台座１に伝送可能であると共に、車内のタバコ点火器用ソケット４から電力を取り出して伝送コード１２を介して電子装置５を充電することもできる。
【００２１】
また、図１と図２と図５を参照する。スピークフォンモードを使用する場合には、まず、コードレス交信のために、装置本体３のブルートゥースモジュール３４と、ブルートゥース機能付き携帯電話とを対にし、そうすると、装置本体３のブルートゥースモジュール３４が携帯電話の着信に応じて信号を発生して装置本体３のプロセッサー３１に入力して、前記プロセッサー３１は発光ダイオード３７を通じて着信があることを運転者に提示し、このとき、運転者は装置本体３の制御スイッチ３８を押圧するだけで、装置本体３の使用モードをスピークフォンモードに切替えて着信に出ることができ、且つ装置本体３のマイク３６が運転者の音声入力装置とされ、車内のラジオ６のスピーカーが着信の音声出力装置とされ、そして通話終了した場合には、装置本体３の制御スイッチ３８をもう一度押圧するだけで、装置本体３の使用モードを音楽放送モードに切替えて電話を切ることができ、また、前記支持ロッド２は、撓み性を持つので、任意に湾折することができ、だから、ユーザの身長に応じて装置本体の高さを調整することができる。
【００２２】
また、図２乃至図５を参照する。本考案は、伝送コード１２を介して、ブルートゥース機能を持っていない携帯電話と電気的に連接して使用することができると共に、デジタル音声ファイルが記憶されたブルートゥース機能付き携帯電話と電気的に連接して使用することもでき、このような場合には、まず、コードレス交信のために、装置本体３のブルートゥースモジュール３４と、ブルートゥース機能付き携帯電話とを対にして、ブルートゥース機能付き携帯電話内に記憶されたデジタル音声ファイルをコードレス状態で装置本体３に伝送して、ＦＭ放射器３３により装置本体３に伝送されるデジタル音声ファイルがＦＭ信号に変換され、車両内に設けられたラジオ６によりこのＦＭ信号を音声に再生することができ、なお、携帯電話が着信した場合には、運転者は装置本体３の制御スイッチ３８を押圧するだけで、装置本体３の使用モードをスピークフォンモードに切替えて着信に出ることができる。
【図面の簡単な説明】
【００２３】
【図１】本考案の構造を示す斜視図である。
【図２】本考案の回路接続を示す概略図である。
【図３】本考案の使用例１を示す斜視図である。
【図４】本考案の使用例２を示す斜視図である。
【図５】本考案の使用例３を示す斜視図である。
【符号の説明】
【００２４】
１        台座                      １１      連接用ソケット
１１１    連接用挿入穴              １１２    連接用受け口
１２      伝送コード                １３      タバコ点火器プラグ
２        支持ロッド                ３        装置本体
３１      プロセッサー              ３２      連結インタフェース
３３      ＦＭ放射器                ３４      ブルートゥースモジュール
３５      液晶ディスプレー          ３６      マイク
３７      発光ダイオード            ３８      制御スイッチ
４        タバコ点火器用ソケット    ５        電子装置
６        ラジオ
【図１】
0003133161.tif 000003
【図２】
0003133161.tif 000004
【図３】
0003133161.tif 000005
【図４】
0003133161.tif 000006
【図５】
0003133161.tif 000007